(57)【要約】【課題】従来の似顔絵は顔の表情を色と線で描くことが一般的で、その表情から慶事等のおめでたいことを描き表せないことが少なからずあった。本発明が解決しようとする課題は、似顔絵として認識する事が出来て、なお且つ、慶事等のおめでたいことを描き表す為に、松竹梅で縁起のいい似顔絵を提供する点にある。【解決手段】請求項１に記載の松竹梅似顔絵は、似顔絵を描く過程において似顔絵の顔の輪郭が、松の絵図と竹の絵図と梅の絵図とで顔の輪郭の外側を囲むように描いてある。請求項２に記載の松竹梅似顔絵は、似顔絵を描く過程において似顔絵の顔の輪郭が、松の絵図と竹の絵図と梅の絵図とで顔の輪郭の外側を沿うように描いてある。【選択図】図１
2015176391.tif 000002
【特許請求の範囲】
【請求項１】
似顔絵を描く過程において似顔絵の顔の輪郭は、松の絵図と竹の絵図と梅の絵図とで顔の輪郭の外側を囲むように描いてあることを特徴とする、松竹梅似顔絵。
【請求項２】
似顔絵を描く過程において似顔絵の顔の輪郭は、松の絵図と竹の絵図と梅の絵図とで顔の輪郭の外側を沿うように描いてあることを特徴とする、松竹梅似顔絵。
【請求項３】
似顔絵を描く過程において似顔絵の顔の輪郭は、松の絵図と竹の絵図と梅の絵図とで顔の輪郭を沿うように描いてあることを特徴とする、松竹梅似顔絵。
【請求項４】
似顔絵を描く過程において似顔絵の顔の輪郭は、松の絵図と竹の絵図と梅の絵図とで顔の輪郭から外側に描いてあることを特徴とする、松竹梅似顔絵。
【請求項５】
似顔絵を描く過程において松の絵図と竹の絵図と梅の絵図とで似顔絵の顔の輪郭線の外側を囲むように描いてあることを特徴とする、松竹梅似顔絵。
【請求項６】
似顔絵を描く過程において松の絵図と竹の絵図と梅の絵図とで似顔絵の顔の輪郭線の外側を沿うように描いてあることを特徴とする、松竹梅似顔絵。
【請求項７】
似顔絵を描く過程において松の絵図と竹の絵図と梅の絵図とで似顔絵の顔の輪郭線を沿うように描いてあることを特徴とする、松竹梅似顔絵。
【請求項８】
似顔絵を描く過程において松の絵図と竹の絵図と梅の絵図とで似顔絵の顔の輪郭線から外側に描いてあることを特徴とする、松竹梅似顔絵。
【請求項９】
似顔絵を描く過程において松の絵図と竹の絵図と梅の絵図とで似顔絵の顔の輪郭図の外側を囲むように描いてあることを特徴とする、松竹梅似顔絵。
【請求項１０】
似顔絵を描く過程において松の絵図と竹の絵図と梅の絵図とで似顔絵の顔の輪郭図の外側を沿うように描いてあることを特徴とする、松竹梅似顔絵。
【請求項１１】
似顔絵を描く過程において松の絵図と竹の絵図と梅の絵図とで似顔絵の顔の輪郭図の輪郭を沿うように描いてあることを特徴とする、松竹梅似顔絵。
【請求項１２】
似顔絵を描く過程において松の絵図と竹の絵図と梅の絵図とで似顔絵の顔の輪郭図の輪郭から外側に描いてあることを特徴とする、松竹梅似顔絵。
【発明の詳細な説明】
【技術分野】
【０００１】
本発明は、松竹梅で縁起物として慶事等で提供する似顔絵に関するものである。
【背景技術】
【０００２】
これまでは、似顔絵を色と線によって顔を構成する要素をそれぞれ描いてあった。また、似顔絵はお誕生日、結婚式、記念日などの慶事等で多く提供されていた。
【先行技術文献】
【非特許文献】
【０００３】
【非特許文献１】平成２４年４月１０日第１刷発行で、発行所が株式会社主婦の友社で、書名が小笠原智子の似顔絵入門
【発明の概要】
【発明が解決しようとする課題】
【０００４】
従来の似顔絵は顔の表情を色と線で描くことが一般的で、その表情から慶事等のおめでたいことを描き表せないことが少なからずあった。
【０００５】
本発明が解決しようとする課題は、似顔絵として認識する事が出来て、なお且つ、慶事等のおめでたいことを描き表す為に、松竹梅で縁起のいい似顔絵を提供する点にある。
【課題を解決するための手段】
【０００６】
請求項１に記載の松竹梅似顔絵は、似顔絵を描く過程において似顔絵の顔の輪郭が、松の絵図と竹の絵図と梅の絵図とで顔の輪郭の外側を囲むように描いてある。
【０００７】
請求項２に記載の松竹梅似顔絵は、似顔絵を描く過程において似顔絵の顔の輪郭が、松の絵図と竹の絵図と梅の絵図とで顔の輪郭の外側を沿うように描いてある。
【０００８】
請求項３に記載の松竹梅似顔絵は、似顔絵を描く過程において似顔絵の顔の輪郭が、松の絵図と竹の絵図と梅の絵図とで顔の輪郭を沿うように描いてある。
【０００９】
請求項４に記載の松竹梅似顔絵は、似顔絵を描く過程において似顔絵の顔の輪郭が、松の絵図と竹の絵図と梅の絵図とで顔の輪郭から外側に描いてある。
【００１０】
請求項５に記載の松竹梅似顔絵は、似顔絵を描く過程において松の絵図と竹の絵図と梅の絵図とで似顔絵の顔の輪郭線の外側を囲むように描いてある。
【００１１】
請求項６に記載の松竹梅似顔絵は、似顔絵を描く過程において松の絵図と竹の絵図と梅の絵図とで似顔絵の顔の輪郭線の外側を沿うように描いてある。
【００１２】
請求項７に記載の松竹梅似顔絵は、似顔絵を描く過程において松の絵図と竹の絵図と梅の絵図とで似顔絵の顔の輪郭線を沿うように描いてある。
【００１３】
請求項８に記載の松竹梅似顔絵は、似顔絵を描く過程において松の絵図と竹の絵図と梅の絵図とで似顔絵の顔の輪郭線から外側に描いてある。
【００１４】
請求項９に記載の松竹梅似顔絵は、似顔絵を描く過程において松の絵図と竹の絵図と梅の絵図とで似顔絵の顔の輪郭図の外側を囲むように描いてある。
【００１５】
請求項１０に記載の松竹梅似顔絵は、似顔絵を描く過程において松の絵図と竹の絵図と梅の絵図とで似顔絵の顔の輪郭図の外側を沿うように描いてある。
【００１６】
請求項１１に記載の松竹梅似顔絵は、似顔絵を描く過程において松の絵図と竹の絵図と梅の絵図とで似顔絵の顔の輪郭図の輪郭を沿うように描いてある。
【００１７】
請求項１２に記載の松竹梅似顔絵は、似顔絵を描く過程において松の絵図と竹の絵図と梅の絵図とで似顔絵の顔の輪郭図の輪郭から外側に描いてある。
【発明の効果】
【００１８】
似顔絵の顔の輪郭は顔の輪郭と認識できるので、松の絵図と竹の絵図と梅の絵図とで描いてある絵図は顔の輪郭であると認識できる効果があり、なお且つ、似顔絵の顔の輪郭は、顔を構成するそれぞれの要素の大きさと配置の基になる根幹部分であるから全体で１つの似顔絵であることが認識できる効果があり、なお且つ、似顔絵と松竹梅を同時に表しているので、松竹梅で縁起のいい似顔絵を提供できる効果がある。
【００１９】
似顔絵であるので多くの人々、多くの動物等でそれぞれを似顔絵対象モデルにした慶事等で、松竹梅で縁起のいい似顔絵を提供できる効果がある。
【００２０】
松竹梅で縁起物似顔絵としておめでたい席等に幅広く似顔絵を提供できる効果がある。
【００２１】
さらに、お誕生日、結婚式、記念日などで似顔絵対象モデルの記念品として多種多様の慶事等で、松竹梅で縁起のいい似顔絵を提供できる効果がある。
【図面の簡単な説明】
【００２２】
【図１】女性モデルを請求項１に記載の松竹梅似顔絵で描いてある。
【図２】女性モデルを請求項１に記載の松竹梅似顔絵で描いてある図１に女性モデルの似顔絵の顔の輪郭を二点鎖線で描き表したもの。
【図３】男性モデルを請求項１に記載の松竹梅似顔絵で描いてある。
【図４】男性モデルを請求項１に記載の松竹梅似顔絵で描いてある図３に男性モデルの似顔絵の顔の輪郭を二点鎖線で描き表したもの。
【図５】犬モデルを請求項１に記載の松竹梅似顔絵で描いてある。
【図６】犬モデルを請求項１に記載の松竹梅似顔絵で描いてある図５に犬モデルの似顔絵の顔の輪郭を二点鎖線で描き表したもの。
【図７】女性モデルの画像に女性モデルの顔の輪郭を二点鎖線で描き表したもの。
【図８】男性モデルの画像に男性モデルの顔の輪郭を二点鎖線で描き表したもの。
【図９】犬モデルの画像に犬モデルの顔の輪郭を二点鎖線で描き表したもの。
【図１０】女性モデルを請求項２に記載の松竹梅似顔絵で描いてある。
【図１１】女性モデルを請求項２に記載の松竹梅似顔絵で描いてある図１０に女性モデルの似顔絵の顔の輪郭を二点鎖線で描き表したもの。
【図１２】女性モデルを請求項３に記載の松竹梅似顔絵で描いてある。
【図１３】女性モデルを請求項３に記載の松竹梅似顔絵で描いてある図１２に女性モデルの似顔絵の顔の輪郭を二点鎖線で描き表したもの。
【図１４】女性モデルを請求項４に記載の松竹梅似顔絵で描いてある。
【図１５】女性モデルを請求項４に記載の松竹梅似顔絵で描いてある図１４に女性モデルの似顔絵の顔の輪郭を二点鎖線で描き表したもの。
【図１６】女性モデルを請求項５に記載の松竹梅似顔絵で描いてある。
【図１７】女性モデルを請求項６に記載の松竹梅似顔絵で描いてある。
【図１８】女性モデルを請求項７に記載の松竹梅似顔絵で描いてある。
【図１９】女性モデルを請求項８に記載の松竹梅似顔絵で描いてある。
【図２０】女性モデルを請求項９に記載の松竹梅似顔絵で描いてある。
【図２１】女性モデルを請求項１０に記載の松竹梅似顔絵で描いてある。
【図２２】女性モデルを請求項１１に記載の松竹梅似顔絵で描いてある。
【図２３】女性モデルを請求項１２に記載の松竹梅似顔絵で描いてある。
【実施例】
【００２３】
図１は似顔絵を描く過程において女性モデルの似顔絵の顔の輪郭２が、女性モデルの顔１６の輪郭１７の外側を囲むように松の絵図３と竹の絵図４と梅の絵図５とで描いてある請求項１に記載の松竹梅似顔絵１。
【００２４】
図３は似顔絵を描く過程において男性モデルの似顔絵の顔の輪郭７が、男性モデルの顔１８の輪郭１９の外側を囲むように松の絵図８と竹の絵図９と梅の絵図１０とで描いてある請求項１に記載の松竹梅似顔絵６。
【００２５】
図５は似顔絵を描く過程において犬モデルの似顔絵の顔の輪郭１２が、犬モデルの顔２０の輪郭２１の外側を囲むように松の絵図１３と竹の絵図１４と梅の絵図１５とで描いてある請求項１に記載の松竹梅似顔絵１１。
【００２６】
図１０は似顔絵を描く過程において女性モデルの似顔絵の顔の輪郭２６が、女性モデルの顔１６の輪郭１７の外側を沿うに松の絵図２３と竹の絵図２４と梅の絵図２５とで描いてある請求項２に記載の松竹梅似顔絵２２。
【００２７】
図１２は似顔絵を描く過程において女性モデルの似顔絵の顔の輪郭３１が、女性モデルの顔１６の輪郭１７を沿うに松の絵図２８と竹の絵図２９と梅の絵図３０とで描いてある請求項３に記載の松竹梅似顔絵２７。
【００２８】
図１４は似顔絵を描く過程において女性モデルの似顔絵の顔の輪郭３６が、女性モデルの顔１６の輪郭１７から外側に松の絵図３３と竹の絵図３４と梅の絵図３５とで描いてある請求項４に記載の松竹梅似顔絵３２。
【００２９】
図１６は似顔絵を描く過程において女性モデルの似顔絵の輪郭線３８の外側を囲むように松の絵図３９と竹の絵図４０と梅の絵図４１とで描いてある請求項５に記載の松竹梅似顔絵３７。
【００３０】
図１７は似顔絵を描く過程において女性モデルの似顔絵の輪郭線４３の外側を沿うように松の絵図４４と竹の絵図４５と梅の絵図４６とで描いてある請求項６に記載の松竹梅似顔絵４２。
【００３１】
図１８は似顔絵を描く過程において女性モデルの似顔絵の輪郭線４８を沿うように松の絵図４９と竹の絵図５０と梅の絵図５１とで描いてある請求項７に記載の松竹梅似顔絵４７。
【００３２】
図１９は似顔絵を描く過程において女性モデルの似顔絵の輪郭線５３から外側に松の絵図５４と竹の絵図５５と梅の絵図５６とで描いてある請求項８に記載の松竹梅似顔絵５２。
【００３３】
図２０は似顔絵を描く過程において女性モデルの似顔絵の輪郭図５８の外側を囲むように松の絵図５９と竹の絵図６０と梅の絵図６１とで描いてある請求項９に記載の松竹梅似顔絵５７。
【００３４】
図２１は似顔絵を描く過程において女性モデルの似顔絵の輪郭図６３の外側を沿うように松の絵図６４と竹の絵図６５と梅の絵図６６とで描いてある請求項１０に記載の松竹梅似顔絵６２。
【００３５】
図２２は似顔絵を描く過程において女性モデルの似顔絵の輪郭図６８の輪郭を沿うように松の絵図６９と竹の絵図７０と梅の絵図７１とで描いてある請求項１１に記載の松竹梅似顔絵６７。
【００３６】
図２３は似顔絵を描く過程において女性モデルの似顔絵の輪郭図７３の輪郭から外側に松の絵図７４と竹の絵図７５と梅の絵図７６とで描いてある請求項１２に記載の松竹梅似顔絵７２。
【符号の説明】
【００３７】
１  女性モデルの請求項１の松竹梅似顔絵
２  女性モデルの似顔絵の顔の輪郭の形
３  松の絵図
４  竹の絵図
５  梅の絵図
６  男性モデルの請求項１の松竹梅似顔絵
７  男性モデルの似顔絵の顔の輪郭の形
８  松の絵図
９  竹の絵図
１０  梅の絵図
１１  犬モデルの請求項１の松竹梅似顔絵
１２  犬モデルの似顔絵の顔の輪郭の形
１３  松の絵図
１４  竹の絵図
１５  梅の絵図
１６  女性モデルの画像
１７  女性モデルの画像の顔の輪郭の形
１８  男性モデルの画像
１９  男性モデルの画像の顔の輪郭の形
２０  犬モデルの画像
２１  犬モデルの画像の顔の輪郭の形
２２  女性モデルの請求項２の松竹梅似顔絵
２３  松の絵図
２４  竹の絵図
２５  梅の絵図
２６  女性モデルの似顔絵の顔の輪郭の形
２７  女性モデルの請求項３の松竹梅似顔絵
２８  松の絵図
２９  竹の絵図
３０  梅の絵図
３１  女性モデルの似顔絵の顔の輪郭の形
３２  女性モデルの請求項４の松竹梅似顔絵
３３  松の絵図
３４  竹の絵図
３５  梅の絵図
３６  女性モデルの似顔絵の顔の輪郭の形
３７  女性モデルの請求項５の松竹梅似顔絵
３８  女性モデルの似顔絵の顔の輪郭線
３９  松の絵図
４０  竹の絵図
４１  梅の絵図
４２  女性モデルの請求項６の松竹梅似顔絵
４３  女性モデルの似顔絵の顔の輪郭線
４４  松の絵図
４５  竹の絵図
４６  梅の絵図
４７  女性モデルの請求項７の松竹梅似顔絵
４８  女性モデルの似顔絵の顔の輪郭線
４９  松の絵図
５０  竹の絵図
５１  梅の絵図
５２  女性モデルの請求項８の松竹梅似顔絵
５３  女性モデルの似顔絵の顔の輪郭線
５４  松の絵図
５５  竹の絵図
５６  梅の絵図  
５７  女性モデルの請求項９の松竹梅似顔絵
５８  女性モデルの似顔絵の顔の輪郭図
５９  松の絵図
６０  竹の絵図
６１  梅の絵図  
６２  女性モデルの請求項１０の松竹梅似顔絵
６３  女性モデルの似顔絵の顔の輪郭図
６４  松の絵図
６５  竹の絵図
６６  梅の絵図  
６７  女性モデルの請求項１１の松竹梅似顔絵
６８  女性モデルの似顔絵の顔の輪郭図
６９  松の絵図
７０  竹の絵図
７１  梅の絵図
７２  女性モデルの請求項１２の松竹梅似顔絵
７３  女性モデルの似顔絵の顔の輪郭図
７４  松の絵図
７５  竹の絵図
７６  梅の絵図
【図１】
2015176391.tif 000003
【図２】
2015176391.tif 000004
【図３】
2015176391.tif 000005
【図４】
2015176391.tif 000006
【図５】
2015176391.tif 000007
【図６】
2015176391.tif 000008
【図７】
2015176391.tif 000009
【図８】
2015176391.tif 000010
【図９】
2015176391.tif 000011
【図１０】
2015176391.tif 000012
【図１１】
2015176391.tif 000013
【図１２】
2015176391.tif 000014
【図１３】
2015176391.tif 000015
【図１４】
2015176391.tif 000016
【図１５】
2015176391.tif 000017
【図１６】
2015176391.tif 000018
【図１７】
2015176391.tif 000019
【図１８】
2015176391.tif 000020
【図１９】
2015176391.tif 000021
【図２０】
2015176391.tif 000022
【図２１】
2015176391.tif 000023
【図２２】
2015176391.tif 000024
【図２３】
2015176391.tif 000025